【手続補正書】
【提出日】平成23年1月31日(2011.1.31)
【手続補正１】
【補正対象書類名】特許請求の範囲
【補正対象項目名】全文
【補正方法】変更
【補正の内容】
【特許請求の範囲】
【請求項１】
管状組織および管状組織の周囲の生体内分解性ポリマーの拘束性繊維マトリクスを含む、管状組織移植片デバイス。
【請求項２】
管状組織が、静脈管状組織、動脈、尿道、腸、食道、尿管、気管、気管支、および卵管の1またはそれ以上から選択される、請求項1に記載のデバイス。
【請求項３】
管状組織上でポリマー繊維をエレクトロスピニングすることにより調製される、請求項1または2に記載のデバイス。
【請求項４】
繊維がエステル結合およびウレタン結合を含むポリマー、好ましくはポリ（エステルウレタン）尿素、を含む、請求項3に記載のデバイス。
【請求項５】
繊維が、1またはそれ以上の以下のもの：
α-ヒドロキシ酸、ポリラクチド、ポリ（ラクチド-co-グリコリド）、ポリ（L-ラクチド-co-カプロラクトン）、ポリグリコール酸、ポリ（dl-ラクチド-co-グリコリド）、ポリ（l-ラクチド-co-dl-ラクチド）、ラクトンモノマーを含むポリマー、ポリカプロラクトン、カーボネート結合を含むポリマー、ポリカーボネート、ポリグリコネート、ポリ（グリコリド-co-トリメチレンカーボネート）、ポリ（グリコリド-co-トリメチレンカーボネート-co-ジオキサノン）、ウレタン結合を含むポリマー、ポリウレタン、ポリ（エステルウレタン）尿素、ポリ（エステルウレタン）尿素エラストマー、エステル結合を含むポリマー、ポリアルカノエート、ポリヒドロキシブチレート、ポリヒドロキシバレレート、ポリジオキサノン、ポリガラクチン、天然ポリマー、キトサン、コラーゲン、エラスチン、アルギネート、セルロース、ヒアルロン酸およびゼラチン、
から選択されるポリマーを含む、請求項1〜4のいずれか1項に記載のデバイス。
【請求項６】
マトリクスと結合する細胞または活性薬剤の一方または両方をさらに含む、請求項1J〜5のいずれか1項に記載のデバイス。
【請求項７】
管状組織が静脈であり、そして伏在静脈から得られる、請求項2〜6のいずれか1項に記載のデバイス。
【請求項８】
繊維が、α-ヒドロキシ酸由来のポリマー、好ましくはポリラクチド、ポリ（ラクチド-co-グリコリド）、ポリ（L-ラクチド-co-カプロラクトン）、ポリグリコール酸、ポリ（dl-ラクチド-co-グリコリド）およびポリ（l-ラクチド-co-dl-ラクチド）から選択されるポリマー、を含む、請求項1〜7のいずれか1項に記載のデバイス。
【請求項９】
繊維がラクトンモノマー、好ましくはポリカプロラクトン、を含むポリマーを含む、請求項1〜7のいずれか1項に記載のデバイス。
デバイス
【請求項１０】
繊維が、カーボネート結合を含むポリマー、好ましくはポリカーボネート、ポリグリコネート、ポリ（グリコリド-co-トリメチレンカーボネート）、およびポリ（グリコリド-co-トリメチレンカーボネート-co-ジオキサノン）から選択されるポリマー、を含む、請求項1〜7のいずれか1項に記載のデバイス。
【請求項１１】
繊維が、ウレタン結合を含むポリマー、好ましくはポリウレタンおよび（エステルウレタン）尿素エラストマーから選択される1またはそれ以上のポリマー、より好ましくは（エステルウレタン）尿素エラストマーを含む、請求項1〜7のいずれか1項に記載のデバイス。
デバイス
【請求項１２】
繊維がコラーゲンを含み、好ましくは約25％wt.〜約75％wt.のコラーゲンを含む、請求項11に記載のデバイス。
【請求項１３】
繊維がエラスチンをさらに含む、請求項12に記載のデバイス。
【請求項１４】
繊維が、好ましくはほぼ等量で繊維中に存在するコラーゲンとエラスチンとの混合物約25％wt.〜約75％wt.を含む、請求項13に記載のデバイス。
【請求項１５】
繊維がエステル結合を含む、請求項1〜7のいずれか1項に記載のデバイス。
【請求項１６】
ポリエステルが、ポリアルカノエート、好ましくはポリヒドロキシブチレート、ポリヒドロキシバレレートおよびポリジオキサノンの1またはそれ以上から選択されるもの、である、請求項15に記載のデバイス。
デバイス
【請求項１７】
ポリマーがポリガラクチンである、請求項15または16に記載のデバイス。
【請求項１８】
繊維が、天然ポリマー、好ましくはキトサン、コラーゲン、エラスチン、アルギネート、セルロース、ポリアルカノエート、ヒアルロン酸およびゼラチンから選択される天然ポリマー、の1またはそれ以上を含む、請求項1〜7のいずれか1項に記載のデバイス。
【請求項１９】
繊維がコラーゲンを含む、請求項1〜7のいずれか1項に記載のデバイス。
【請求項２０】
繊維がエラスチンを含む、請求項19に記載のデバイス。
【請求項２１】
マトリクスが、12時間〜2週間の範囲の期間にわたりin situで生体内分解（bioerode）される、請求項19に記載のデバイス。
【請求項２２】
幹細胞、前駆細胞（前駆体）細胞、平滑筋細胞、骨格筋芽細胞、心筋細胞、内皮細胞、内皮前駆細胞、骨髄由来間葉細胞および遺伝子修飾された細胞から選択された1またはそれ以上の細胞が、マトリクスと結合されている、請求項6〜21のいずれか1項に記載のデバイス。
【請求項２３】
塩基性線維芽細胞成長因子（bFGF）、酸性線維芽細胞成長因子（aFGF）、血管内皮成長因子（VEGF）、肝細胞成長因子（HGF）、インスリン様成長因子（IGF）、形質転換成長因子-β、プレイオトロフィンタンパク質、ミドカイン（midkine）タンパク質、およびIGF-Iの1またはそれ以上から好ましくは選択される成長因子が、マトリクスに結合されている、請求項6〜21のいずれか1項に記載のデバイス。
【請求項２４】
薬物が、非ステロイド性抗炎症性薬、抗生物質、抗凝固因子、免疫抑制剤、グルココルチコイド、イムノフィリンに対して作用する薬物、インターフェロン、TNF結合タンパク質、タキサン、スタチン、および一酸化窒素ドナーの1またはそれ以上から好ましくは選択される、請求項6〜21のいずれか1項に記載の方法。
【請求項２５】
薬物が、NSAID、サリチル酸、インドメタシン、インドメタシンナトリウム三水和物、サリチルアミド、ナプロキセン、コルヒチン、フェノプロフェン、スリンダク、ジフルニサル、ジクロフェナク、インドプロフェンナトリウムサリチルアミド、抗炎症性サイトカイン、抗炎症性タンパク質、ステロイド性抗炎症剤、ヘパリン、Pebac、エノキサパリン（enoxaprin）、アスピリン、ヒルジン、プラビックス、ビバリルジン、プラスグレル、イドラパリナックス、ワーファリン、クーマディン、クロピドグレル、PPACK、GGACK、組織プラスミノーゲン活性化因子、ウロキナーゼ、ストレプトキナーゼ、グルココルチコイド、ヒドロコルチゾン、ベタメタゾン（betamethisone）、デキサメタゾン、フルメタゾン、イソフルプレドン、メチルプレドニゾロン、プレドニゾン、プレドニゾロン、トリアムシノロンアセトニド、血管新生阻害剤、フルオロウラシル、パクリタキセル、ドキソルビシン、シスプラチン、メトトレキセート、シクロホスファミド、エトポシド、ペガプタニブ、ルーセンティス、トリプトファニル-tRNA合成酵素、リタアン（retaane）、CA4P、AdPEDF、VEGF-TRAP-EYE、AG-103958、アバスチン、JSM6427、TG100801、ATG3、OT-551、エンドスタチン、サリドマイド、ベバシズマブ（becacizumab）、ネオバスタット、抗増殖剤、シロリムス、パクリタキセル、ぺリリルアルコール、ファルネシル基転移酵素阻害薬、FPTIII、L744、抗増殖性因子、Van 10/4、ドキソルビシン、5-FU、ダウノマイシン、マイトマイシン、デキサメタゾン、アザチオプリン、クロラムブシル、シクロホスファミド、メトトレキセート、モフェチル、血管作動性腸管ポリペプチド、抗体、イムノフィリンに作用する薬物、シクロスポリン、ゾタロリムス、エベロリムス、タクロリムス、シロリムス、インターフェロン、TNF結合タンパク質、タキサン、パクリタキセル、ドセタキセル、スタチン、アトルバスタチン、ロバスタチン、シンバスタチン、プラバスタチン、フルバスタチン、ロスバスタチン一酸化窒素ドナーまたは前駆体、Angeli塩、L-アルギニン、遊離塩基、ジエチルアミンNONOate、ジエチルアミンNONOate/AM、Glyco-SNAP-1、Glyco-SNAP-2、（±）-S-ニトロソ-N-アセチルペニシラミン、S-ニトロソグルタチオン、NOC-5、NOC-7、NOC-9、NOC-12、NOC-18、NOR-I、NOR-3、SIN-I、塩酸塩、ニトロプルシド・ナトリウム、二水和物、スペルミンNONOate、ストレプトゾトシン、抗生物質、アシクロビル、オフロキサシン（afloxacin）、アンピシリン、アンフォテリシンB、アトバクオン、アジスロマイシン、シプロフロキサシン、クラリスロマイシン、クリンダマイシン、クロファジミン、ダプソン、ジクラズリル（diclazaril）、ドキシサイクリン、エリスロマイシン、エタンブトール、フルコナゾール、フルオロキノロン、フォスカネット、ガンシクロビル、ゲンタマイシン、イトラコナゾール（iatroconazole）、イソニアジド、ケトコナゾール、レポフロキサシン、リンコマイシン、ミコナゾール、ネオマイシン、ノルフロキサシン、オフロキサシン、パロモマイシン、ペニシリン、ペンタミジン、ポリミキシンB、ピラジンアミド、ピリメタミン、リファブチン、リファンピン、スパルフロキサシン、ストレプトマイシン、スルファジアジン、テトラサイクリン、トブラマイシン、トリフルオロウリジン、硫酸トリメトプリム、Zn-ピリチオン、および塩化物、臭化物、ヨウ化物および過ヨード酸塩等の銀の塩、の1またはそれ以上から選択される、請求項24に記載のデバイス。